(57)【要約】    【課題】表示画面の焼き付きを効果的に防止させることができる表示画面の焼付防止方法を提供することを目的とする。    【解決手段】所定表意モード時において、表示画面内での画像の表示位置を斜め方向に徐々に移動させる。    【選択図】  図４
2005257725.tif 000002
【特許請求の範囲】
【請求項１】
入力映像信号に対応した画像を表示する表示装置の表示画面の焼き付きを防止する表示画面の焼付防止方法であって、
所定表示モードにおいて前記表示画面内での前記画像の表示位置を斜め方向に徐々に移動させる表示位置移動行程を有することを特徴とする表示画面の焼付防止方法。
【請求項２】
前記所定表示モードは、前記表示画面に静止画が表示される静止画表示モードであることを特徴とする請求項１記載の表示画面の焼付防止方法。
【請求項３】
前記表示位置移動行程は、前記画像の表示位置を所定周期毎に１画素ずつ移動させることを特徴とする請求項１記載の表示画面の焼付防止方法。
【請求項４】
Ｎ画素分（Ｎは２以上の整数）の移動が為される度に前記画像の表示位置が元の位置に戻ることを特徴とする請求項３記載の表示画面の焼付防止方法。
【請求項５】
前記Ｎは４１であることを特徴とする請求項４記載の表示画面の焼付防止方法。
【請求項６】
前記表示装置は、プラズマディスプレイ装置であることを特徴とする請求項１記載の表示画面の焼付防止方法。
【請求項７】
前記表示位置移動行程は、前記画像の表示位置をその移動軌跡が螺旋状になるように移動させることを特徴とする請求項１記載の表示画面の焼付防止方法。
【発明の詳細な説明】
【技術分野】
【０００１】
本発明は、画像表示装置の表示画面の焼き付きを防止する焼付防止方法に関する。
【背景技術】
【０００２】
ＣＲＴ(Cathode Ray Tube)、プラズマディスプレイパネルの如き蛍光体の励起に伴う発光現象を利用して表示を行う表示デバイスにおいては、長時間連続して静止画像を表示しつづけると、蛍光体が劣化していわゆる焼き付きを起こす。
【０００３】
このような焼き付きを防止すべく、表示物体の画面上での表示位置を時間経過と共に徐々に強制的に移動させるようにした焼付防止方法が提案された(例えば、特許文献１参照)。
【０００４】
かかる焼付防止方法においては、先ず、静止画像中の表示物体を画面上の水平右方向に１ドットずつ徐々に５ドット分だけ移動させる。次に、その位置から、表示物体を１ドット分だけ垂直方向に移動させ、そこから水平左方向に表示物体を１ドットずつ徐々に５ドット分だけ移動させる。そして、再び、表示物体を１ドット分だけ垂直方向に移動させてから、上述した如き動作を繰り返し実行するのである。要するに、静止画像中の表示物体を画面の水平方向に徐々に移動させる動作と、垂直方向に１ドット分だけ移動させる動作とを交互に繰り返し実行することにより、静止画像である表示物体を画面内において移動させて、画面の焼き付きを防止するのである。
【０００５】
しかしながら、かかる焼き付き防止用の動作では、静止画像として、例えば画面内の水平方向及び垂直方向に夫々伸長する罫線を含む「表」を表示している場合には、以下の如き不具合が生じる。つまり、水平方向に伸長する罫線はこれを水平方向に移動させている間は同一の画面位置に固定表示されることになり、同様に、垂直方向に伸長する罫線は垂直方向に移動させている間は同一の画面位置に固定表示されることになる。
【０００６】
よって、上記の如き焼き付き防止動作では、確実に画面の焼き付きを防止することが出来ないという問題があった。
【特許文献１】特開２０００−２２７７７５号公報
【発明の開示】
【発明が解決しようとする課題】
【０００７】
本発明は、かかる問題を解決すべく為されたものであり、表示画面の焼き付きを効果的に防止させることができる表示画面の焼付防止方法を提供することを目的とする。
【課題を解決するための手段】
【０００８】
請求項１記載による表示画面の焼付防止方法は、入力映像信号に対応した画像を表示する表示装置の表示画面の焼き付きを防止する表示画面の焼付防止方法であって、所定表示モードにおいて前記表示画面内での前記画像の表示位置を斜め方向に徐々に移動させる表示位置移動行程を有する。
【発明を実施するための最良の形態】
【０００９】
表示画面内での静止画像の表示位置をその移動軌跡が螺旋状になるように斜め方向に徐々に移動させる。
【実施例】
【００１０】
図１は、表示画面の焼き付き防止機能を備えたディスプレイ装置の概略構成を示す図である。
【００１１】
図１において、表示デバイス１０は、例えばＣＲＴ(Cathode Ray Tube)、又はプラズマディスプレイパネル等からなり、その１画面（ｎ行×ｍ列）内には、図２（ａ）に示す如き画素Ｇ(1,1)〜Ｇ(n,m)が配置されている。画素Ｇ(1,1)〜Ｇ(n,m)の各々は、実際には、赤色発光を担う赤色画素ＧR、緑色発光を担う緑色画素ＧG、及び青色発光を担う青色画素ＧBの如き３つの画素の組み合わせからなる。
【００１２】
画素データ変換回路１は、入力画像信号を表示デバイス１０の画素Ｇ(1,1)〜Ｇ(n,m)各々に対応した画素データＰＤ(1,1)〜ＰＤ(n,m)に変換して順次、第１フレームメモリ２に供給する。尚、各入力画素データＰＤは、上記赤色画素ＧR、緑色画素ＧG及び青色画素ＧBの各々に対する輝度レベルを個別に示す例えば８ビットのデータである。例えば、第１行第１列の画素Ｇ(1,1)に対応した入力画素データＰＤ(1,1)は、赤色画素ＧR(1,1)を発光させる際の輝度レベル、緑色画素ＧG(1,1)を発光させる際の輝度レベル、青色画素ＧB(1,1)を発光させる際の輝度レベルを夫々８ビットにて表すものである。  第１フレームメモリ２は、１画面分の画素データＰＤ(1,1)〜ＰＤ(n,m)各々を、図２（ｂ）に示す如く、表示デバイス１０の各画素位置に対応した番地（Ｘ、Ｙ）に記憶する。尚、「Ｘ」は表示デバイス１０の「行」に対応し、「Ｙ」は表示デバイス１０の「列」に対応している。例えば、第１行・第１列の画素Ｇ(1,1)に対応した画素データＰＤ(1,1)は、第１フレームメモリ２の番地（１、１）に記憶され、第１行・第ｍ列の画素Ｇ(1,m)に対応した画素データＰＤ(1,m)は、第１フレームメモリ２の番地（１、ｍ）に記憶される。そして、第１フレームメモリ２は、図２（ｂ）に示す如く記憶した１フレーム分の画素データＰＤ(1,1)〜ＰＤ(n,m)各々を、第１表示ラインに対応したＰＤ(1,1)〜ＰＤ(1,m)、第２表示ラインに対応したＰＤ(2,1)〜ＰＤ(2,m)、第３表示ラインに対応したＰＤ(3,1)〜ＰＤ(3,m)、・・・、第ｎ表示ラインに対応したＰＤ(n,1)〜ＰＤ(n,m)なる順に読み出して第２フレームメモリ３及びセレクタ４に夫々供給する。
【００１３】
静止画検出回路５は、入力映像信号に基づき、この入力映像信号によって表される画像が静止画像であるか否かを判定する。この際、静止画検出回路５は、入力映像信号によって表される画像が静止画像であると判定され、更に、この静止画像に対応した１フレーム分の入力映像信号が所定期間以上に亘り同一のものである場合に、静止画モードにあることを示す静止画モード信号ＹＭを表示位置移動制御回路６に送出する。
【００１４】
表示位置移動制御回路６は、表示位置移動処理フロー（後述する）に従って、第２フレームメモリ３に対する書込及び読出制御を実行すると共に、セレクタ４に選択信号Ｓを供給する。
【００１５】
第２フレームメモリ３は、図２（ｃ）に示す如く、表示デバイス１０の各画素位置に対応したメモリ空間を有する。尚、図２（ｃ）の「ＸP」は表示デバイス１０の「行」に対応し、「ＹP」は表示デバイス１０の「列」に対応している。第２フレームメモリ３は、表示位置移動制御回路６による書込制御（後述する）に応じて、１フレーム分の画素データＰＤ(1,1)〜ＰＤ(n,m)の各々を書き込む。又、第２フレームメモリ３は、表示位置移動制御回路６による読出制御（後述する）に応じて、記憶されている画素データＰＤ(1,1)〜ＰＤ(n,m)各々を、１表示ライン分ずつ順次読み出す。尚、第２フレームメモリ３は、読み出した画素データＰＤ(1,1)〜ＰＤ(n,m)を、位置変更画素データＦＤ(1,1)〜ＦＤ(n,m)としてセレクタ４に供給する。
【００１６】
セレクタ４は、上記位置変更画素データＦＤ及び上記画素データＰＤの内から、上記選択信号Ｓに応じた方を選択してこれをドライバ７に供給する。すなわち、セレクタ４は、焼き付き防止動作を実行させるべき論理レベル１の選択信号Ｓが供給された場合には、位置変更画素データＦＤをドライバ６に供給する一方、論理レベル０の選択信号Ｓが供給された場合には、画素データＰＤをドライバ６に供給する。ドライバ６は、セレクタ４から供給された画素データに対応した画像を表示させるべき各種駆動信号を発生して表示デバイス１０に供給する。表示デバイス１０は、ドライバ５から供給された駆動信号に応じた画像を表示する。
【００１７】
以下に、表示位置移動制御回路６の詳細な動作について説明する。
【００１８】
表示位置移動制御回路６は、静止画検出回路５から静止画モード信号ＹＭが供給されると、図３に示す如き表示位置移動処理フローに従った制御動作を開始する。
【００１９】
図３において、先ず、表示位置移動制御回路６は、論理レベル１の選択信号Ｓをセレクタ４に供給する（ステップＳ１）。ステップＳ１の実行に応じて、セレクタ４は、第２フレームメモリ３から供給された位置変更画素データＦＤをドライバ６に供給する。次に、表示位置移動制御回路６は、演算式指定値Ｔの初期値として「１」を内蔵レジスタ（図示せぬ）に書き込む（ステップＳ２）。次に、表示位置移動制御回路６は、内蔵レジスタに記憶されている演算式指定値Ｔにて指定された演算式を用いて、図２（ｂ）に示す如き形態にて第１フレームメモリ２に記憶されている画素データＰＤ(1,1)〜ＰＤ(n,m)各々の番地（Ｘ、Ｙ）を、新たな番地（ＸP、ＹP）に変換する（ステップＳ３）。尚、演算式指定値Ｔが「１」〜「４１」である場合の演算式は、夫々、
Ｔ＝「１」：（ＸP、ＹP）＝（Ｘ−１、Ｙ＋１）
Ｔ＝「２」：（ＸP、ＹP）＝（Ｘ、Ｙ＋２）
Ｔ＝「３」：（ＸP、ＹP）＝（Ｘ＋１、Ｙ＋１）
Ｔ＝「４」：（ＸP、ＹP）＝（Ｘ＋２、Ｙ）
Ｔ＝「５」：（ＸP、ＹP）＝（Ｘ＋１、Ｙ−１）
Ｔ＝「６」：（ＸP、ＹP）＝（Ｘ、Ｙ−２）
Ｔ＝「７」：（ＸP、ＹP）＝（Ｘ−１、Ｙ−１）
Ｔ＝「８」：（ＸP、ＹP）＝（Ｘ−２、Ｙ）
Ｔ＝「９」：（ＸP、ＹP）＝（Ｘ−３、Ｙ＋１）
Ｔ＝「１０」：（ＸP、ＹP）＝（Ｘ−２、Ｙ＋２）
Ｔ＝「１１」：（ＸP、ＹP）＝（Ｘ−１、Ｙ＋３）
Ｔ＝「１２」：（ＸP、ＹP）＝（Ｘ、Ｙ＋４）
Ｔ＝「１３」：（ＸP、ＹP）＝（Ｘ＋１、Ｙ＋３）
Ｔ＝「１４」：（ＸP、ＹP）＝（Ｘ＋２、Ｙ＋２）
Ｔ＝「１５」：（ＸP、ＹP）＝（Ｘ＋３、Ｙ＋１）
Ｔ＝「１６」：（ＸP、ＹP）＝（Ｘ＋４、Ｙ）
Ｔ＝「１７」：（ＸP、ＹP）＝（Ｘ＋３、Ｙ−１）
Ｔ＝「１８」：（ＸP、ＹP）＝（Ｘ＋２、Ｙ−２）
Ｔ＝「１９」：（ＸP、ＹP）＝（Ｘ＋１、Ｙ−３）
Ｔ＝「２０」：（ＸP、ＹP）＝（Ｘ、Ｙ−４）
Ｔ＝「２１」：（ＸP、ＹP）＝（Ｘ−１、Ｙ−３）
Ｔ＝「２２」：（ＸP、ＹP）＝（Ｘ−２、Ｙ−２）
Ｔ＝「２３」：（ＸP、ＹP）＝（Ｘ−３、Ｙ−１）
Ｔ＝「２４」：（ＸP、ＹP）＝（Ｘ−４、Ｙ）
Ｔ＝「２５」：（ＸP、ＹP）＝（Ｘ−３、Ｙ）
Ｔ＝「２６」：（ＸP、ＹP）＝（Ｘ−２、Ｙ＋１）
Ｔ＝「２７」：（ＸP、ＹP）＝（Ｘ−１、Ｙ＋２）
Ｔ＝「２８」：（ＸP、ＹP）＝（Ｘ、Ｙ＋３）
Ｔ＝「２９」：（ＸP、ＹP）＝（Ｘ＋１、Ｙ＋２）
Ｔ＝「３０」：（ＸP、ＹP）＝（Ｘ＋２、Ｙ＋１）
Ｔ＝「３１」：（ＸP、ＹP）＝（Ｘ＋３、Ｙ）
Ｔ＝「３２」：（ＸP、ＹP）＝（Ｘ＋２、Ｙ−１）
Ｔ＝「３３」：（ＸP、ＹP）＝（Ｘ＋１、Ｙ−２）
Ｔ＝「３４」：（ＸP、ＹP）＝（Ｘ、Ｙ−３）
Ｔ＝「３５」：（ＸP、ＹP）＝（Ｘ−１、Ｙ−２）
Ｔ＝「３６」：（ＸP、ＹP）＝（Ｘ−２、Ｙ−１）
Ｔ＝「３７」：（ＸP、ＹP）＝（Ｘ−１、Ｙ）
Ｔ＝「３８」：（ＸP、ＹP）＝（Ｘ、Ｙ＋１）
Ｔ＝「３９」：（ＸP、ＹP）＝（Ｘ＋１、Ｙ）
Ｔ＝「４０」：（ＸP、ＹP）＝（Ｘ、Ｙ−１）
Ｔ＝「４１」：（ＸP、ＹP）＝（Ｘ、Ｙ）
である。
【００２０】
次に、表示位置移動制御回路６は、この新たな番地（ＸP、ＹP）を用いて、その番地に対応した画素データＰＤ(1,1)〜ＰＤ(n,m)の各々を第２フレームメモリ３に書き込ませる（ステップＳ４）。次に、表示位置移動制御回路６は、第２フレームメモリ３０に書き込まれた画素データＰＤ(1,1)〜ＰＤ(n,m)の各々を各表示ライン毎に順次読み出し、これを位置変更画素データＦＤ(1,1)〜ＦＤ(n,m)としてセレクタ４に供給する（ステップＳ５）。ステップＳ５の実行により、第１表示ラインに対応したＰＤ(1,1)〜ＰＤ(1,m)、第２表示ラインに対応したＰＤ(2,1)〜ＰＤ(2,m)、・・・、第ｎ表示ラインに対応したＰＤ(n,1)〜ＰＤ(n,m)なる順に画素データＰＤが読み出され、これらが位置変更画素データＦＤ(1,1)〜ＦＤ(n,m)としてセレクタ４を介してドライバ６に供給される。よって、この際、表示デバイス１０の画面上には、上記位置変更画素データＦＤ(1,1)〜ＦＤ(n,m)に基づく画像が表示されることになる。次に、表示位置移動制御回路６は、静止画検出回路５から静止画モード信号ＹＭが供給されているか否かの判定を行う（ステップＳ６）。かかるステップＳ６において静止画モード信号ＹＭが供給されていないと判定された場合、表示位置移動制御回路６は、論理レベル０の選択信号Ｓをセレクタ４に供給する（ステップＳ７）。ステップＳ７の実行に応じて、セレクタ４は、第１フレームメモリ２から供給された画素データＰＤをドライバ６に供給する。すなわち、静止画モード信号ＹＭが供給されていない場合には、表示デバイス１０の画面上には画素データＰＤ(1,1)〜ＰＤ(n,m)に基づく画像が表示されることになる。ステップＳ７の実行後、表示位置移動制御回路６は、この表示位置移動処理フローを抜けてメインフロー（説明せず）の実行に戻る。一方、上記ステップＳ６において、静止画モード信号ＹＭが供給されていると判定された場合、表示位置移動制御回路６は、内蔵レジスタに書き込まれている演算式指定値Ｔに「１」を加算した値を新たな演算式指定値Ｔとして上記内蔵レジスタに上書きする（ステップＳ８）。次に、表示位置移動制御回路６は、内蔵レジスタに書き込まれている演算式指定値Ｔが「４２」よりも小であるか否かを判定する（ステップＳ９）。ステップＳ９において、演算式指定値Ｔが「４２」よりも小であると判定された場合、表示位置移動制御回路６は、上記ステップＳ３の実行に戻って前述した如き動作を繰り返し実行する。一方、ステップＳ９において、演算式指定値Ｔが「４２」よりも大であると判定された場合には、表示位置移動制御回路６は、上記ステップＳ２の実行に戻って前述した如き動作を繰り返し実行する。要するに、演算式指定値Ｔが「１」から「４１」に推移するまでステップＳ３〜Ｓ８なる動作を繰り返し実行し、演算式指定値Ｔが「４２」を越えたら、演算式指定値Ｔを「１」に戻して前述した如き動作を繰り返し実行するのである。
【００２１】
この際、上記ステップＳ３〜Ｓ５なる一連の制御が実施される度に、１フレーム分の画素データＰＤ(1,1)〜ＰＤ(n,m)に基づく静止画像が、表示デバイス１０の画面内において徐々に螺旋状に移動する。
【００２２】
図４は、１画素分の画像のみに着目して、その画像が表示デバイス１０の画面内において移動する過程を段階的（第１〜第４１）に表す図である。尚、図４においては、１画素分の画像が移動を開始する始点としての第１位置（Ｘ、Ｙ）を（０、０）としている。
【００２３】
先ず、演算式指定値Ｔが「１」である際に実行されるステップＳ３〜Ｓ５により、その１画素分の画像は第２位置（−１、１）に移動する。次に、演算式指定値Ｔが「２」である際に実行されるステップＳ３〜Ｓ５により、その１画素分の画像は第３位置（０、２）に移動する。次に、演算式指定値Ｔが「３」である際に実行されるステップＳ３〜Ｓ５により、その１画素分の画像は第４位置（１、１）に移動する。
【００２４】
以下、同様にして演算式指定値Ｔが「４」〜「４１」各々となる際に実行されるステップＳ３〜Ｓ５により、その１画素分の画像は図４に示す如く、
第５位置（２、０）、第６位置（１、−１）、第７位置（０、−２）、第８位置（−１、−１）、第９位置（−２、０）、第１０位置（−３、１）、第１１位置（−２、２）、第１２位置（−１、３）、第１３位置（０、４）、第１４位置（１、３）、第１５位置（２、２）、第１６位置（３、１）、第１７位置（４、０）、第１８位置（３、−１）、第１９位置（２、−２）、第２０位置（１、−３）、第２１位置（０、−４）、第２２位置（−１、−３）、第２３位置（−２、−２）ね第２４位置（−３、−１）、第２５位置（−４、０）、第２６位置（−３、０）、第２７位置（−２、１）、第２８位置（−１、２）、第２９位置（０、３）、第３０位置（１、２）、第３１位置（２、１）、第３２位置（３、０）、第３３位置（２、−１）、第３４位置（１、−２）、第３５位置（０、−３）、第３６位置（−１、−２）、第３７位置（−２、−１）、第３８位置（−１、０）、第３９位置（０、１）、第４０位置（１、０）、第４１位置（０、−１）、第１位置（０、０）へと徐々に移動する。
【００２５】
要するに、所定期間以上に亘り同一の静止画像を担う入力映像信号が供給された場合（焼き付き防止モード）には、表示デバイス１０の表示画面内において、図４に示す如くその移動軌跡が螺旋状になるように、上記静止画像を画面内の斜め方向において徐々に移動させるようにしたのである。
【００２６】
よって、画面内の水平方向及び垂直方向に夫々伸長する罫線を含む「表」を静止画像として表示している場合においても、これらの罫線は常に画面内の他の位置に移動することになるので、画面の焼き付きが防止される。
【００２７】
尚、図４に限らず、図５、図６又は図７に示す如く、静止画像を常時斜め方向に１画素ずつ螺旋状に移動させるようにしても良い。
【００２８】
例えば、図５においては、１画素分の画像は、第１位置（０、０）から、先ず第２位置（１、１）に移動し、それ以降、第３位置（２、０）、第４位置（１、−１）、第５位置（０、−２）、第６位置（−１、−１）、第７位置（−２、０）、第８位置（−１、１）、第９位置（０、２）、第１０位置（１、３）、第１１位置（２、２）、第１２位置（３、１）、第１３位置（４、０）、第１４位置（３、−１）、第１５位置（２、−２）、第１６位置（１、−３）、第１７位置（０、−４）、第１８位置（−１、−３）、第１９位置（−２、−２）、第２０位置（−３、−１）、第２１位置（−４、０）、第２２位置（−３、１）、第２３位置（−２、２）、第２４位置（−１、３）、第２５位置（０、４）、第２６位置（０、３）、第２７位置（１、２）、第２８位置（２、１）、第２９位置（３、０）、第３０位置（２、−１）、第３１位置（１、−２）、第３２位置（０、−３）、第３３位置（−１、−２）、第３４位置（−２、−１）、第３５位置（−３、０）、第３６位置（−２、１）、第３７位置（−１、２）、第３８位置（０、１）、第３９位置（１、０）、第４０位置（０、−１）、第４１位置（−１、０）、そして第１位置（０、０）へと徐々に移動する。
【００２９】
又、図４〜図７においては、静止画像を螺旋状に右回りで移動させるようにしているが、これを左回りに移動させるようにしても良い。
【００３０】
又、図８に示されるように、その移動軌跡がジグザグ状になるように静止画像を１画素ずつ斜め方向に移動させるようにしても良い。
【００３１】
又、上記実施例においては、入力映像信号に基づく１フレーム分の画像を全て移動させるようにしているが、１フレーム分の画像の内から予め指定した所定領域内の画像のみを表示デバイス１０の表示画面上の任意の領域に表示させて上述した如き表示位置の移動を実行するようにしても良い。
【００３２】
図９は、かかる点に鑑みて為されたディスプレイ装置の他の構成を示す図である。
【００３３】
尚、図９においては、表示位置変更制御回路３０、画像抽出回路３１、及び表示位置設定回路３２を除く他の構成は、図１に示されるものと同一であるのでそれらの構成についての説明は省略する。
【００３４】
図９において、画像抽出回路３１は、画素データ変換回路１から供給された１フレーム分の画素データＰＤ(1,1)〜ＰＤ(n,m)各々の内から、表示位置変更制御回路３０にて指定された画像領域内に存在する各画素に対応した画素データＰＤのみを抽出して、表示位置設定回路３２に供給する。この際、表示位置変更制御回路３０は、画像抽出回路３１にて抽出された画素データＰＤによって表される画像を表示デバイス１０の表示画面内において表示させるべき表示領域を指定する表示領域指定信号を表示位置設定回路３２に供給する。表示位置設定回路３２は、かかる表示領域指定信号にて示される表示領域内の各画素と、画像抽出回路３１にて抽出された画素データＰＤとを対応づけして新たな１フレーム分の画素データを生成して、第１フレームメモリ２に供給する。尚、表示位置変更制御回路３０は、使用者の操作によって、上述した如き１フレーム分の画像内から抽出すべき画像領域を示す情報、及びその抽出した画像を表示させるべき表示位置を示す情報を取得する。
【００３５】
よって、上記構成によれば、表示デバイス１０の表示画面内の任意の位置で、特定の画像を図４〜図８に示す如く移動表示させることが可能となる。
【図面の簡単な説明】
【００３６】
【図１】焼付防止機能を備えたディスプレイ装置の構成を示す図である。
【図２】表示デバイス１０の各画素と、各画素位置に対応した記憶番地を有する第１フレームメモリ２及び第２フレームメモリ３各々のメモリ空間とを示す図である。
【図３】表示位置移動制御回路６によって実施される表示位置移動処理のフローを示す図である。
【図４】１画素分の画像を表示画面上において移動させる際の移動軌跡の一例を示す図である。
【図５】１画素分の画像を表示画面上において移動させる際の移動軌跡の他の一例を示す図である。
【図６】１画素分の画像を表示画面上において移動させる際の移動軌跡の他の一例を示す図である。
【図７】１画素分の画像を表示画面上において移動させる際の移動軌跡の他の一例を示す図である。
【図８】１画素分の画像を表示画面上において移動させる際の移動軌跡の他の一例を示す図である。
【図９】焼付防止機能を備えたディスプレイ装置の他の構成を示す図である。
【符号の説明】
【００３７】
２          第１フレームメモリ
３          第２フレームメモリ
４          セレクタ
５          静止画検出回路
６          表示位置移動制御回路
１０        表示デバイス
【図１】
2005257725.tif 000003
【図２】
2005257725.tif 000004
【図３】
2005257725.tif 000005
【図４】
2005257725.tif 000006
【図５】
2005257725.tif 000007
【図６】
2005257725.tif 000008
【図７】
2005257725.tif 000009
【図８】
2005257725.tif 000010
【図９】
2005257725.tif 000011